(57)【要約】【課題】螺子等の取付部材に用いずに部品点数を増やさずにフック部材の取り付けを行うことができ、かつ長年使用してもフック部材が脱落する虞がない机を提供すること。【解決手段】左右に配置される側脚フレーム３と、両側脚フレーム３の上方に配置される天板２と、天板２の下方位置における左右外側に配置されるフック部材４と、から構成される机であって、側脚フレーム３の上端部には、前後方向を向く上部フレーム８が設けられ、上部フレーム８の上面が水平面をなしており、フック部材４は、物品を吊持する吊持部４ａと吊持部４ａの上端部から水平方向に延設される水平部４ｂとを有しており、水平部４ｂは、上部フレーム８の上面と天板２の下面との間で挟持される。【選択図】図８
2010099352.tif 000002
【特許請求の範囲】
【請求項１】
左右に配置される側脚フレームと、該両側脚フレームの上方に配置される天板と、前記天板の下方位置における左右外側に配置されるフック部材と、から構成される机であって、
前記側脚フレームの上端部には、前後方向を向く上部フレームが設けられ、該上部フレームの上面が水平面をなしており、前記フック部材は、物品を吊持する吊持部と該吊持部の上端部から水平方向に延設される水平部とを有しており、該水平部は、前記上部フレームの上面と前記天板の下面との間で挟持されることを特徴とする机。
【請求項２】
前記天板の下面には、前方に開口部を有して内部に物品を収納可能な棚本体部が取り付けられており、該棚本体部の左右上部には、前記天板に当接する棚側部が左右外側に向かって延設され、該棚側部には、前記水平部が係合される係合孔が形成されており、前記水平部と前記棚側部とが前記上部フレームの上面と前記天板の下面との間で挟持された状態で、前記上部フレームが前記天板に固着されることを特徴とする請求項１に記載の机。
【請求項３】
前記天板の下面には、前方に開口部を有して内部に物品を収納可能な棚本体部が取り付けられており、前記吊持部の形状は、前記棚本体部の側面に沿うように形成されていることを特徴とする請求項１または２に記載の机。
【請求項４】
前記フック部材は、一本の線材を屈曲して形成されており、該線材の両端部を前記水平部として形成し、該両水平部が互いに離間して配置されることを特徴とする請求項１ないし３のいずれかに記載の机。
【発明の詳細な説明】
【技術分野】
【０００１】
本発明は、左右に配置される側脚フレームと、該両側脚フレームの上方に配置される天板と、前記天板の下方の左右外側方に取り付けられるフック部材と、から構成される机に関する。
【背景技術】
【０００２】
従来の机は、机の棚部の左右側面に、机の使用者の鞄等の手荷物を吊持するためのフック部材を取り付けている（例えば、特許文献１参照）。
【０００３】
【特許文献１】意匠登録第１１１２３７７号公報（第１頁、正面図）
【発明の開示】
【発明が解決しようとする課題】
【０００４】
特許文献１に記載の机では、一般的に螺子等の取付部材を用いてフック部材が机の棚部の左右側面や左右脚部に取り付けられるため、机の部品点数が増えてしまい、机の製造コストが嵩んでしまうばかりか、フック部材に手荷物を吊持することを繰り返した際に、フック部材を揺動させる力が繰り返し加わることになるため、螺子に緩みが発生して長年の使用するとフック部材が脱落してしまうという問題がある。
【０００５】
本発明は、このような問題点に着目してなされたもので、螺子等の取付部材に用いずに部品点数を増やさずにフック部材の取り付けを行うことができ、かつ長年使用してもフック部材が脱落する虞がない机を提供することを目的とする。
【課題を解決するための手段】
【０００６】
前記課題を解決するために、本発明の請求項１に記載の机は、
左右に配置される側脚フレームと、該両側脚フレームの上方に配置される天板と、前記天板の下方位置における左右外側に配置されるフック部材と、から構成される机であって、
前記側脚フレームの上端部には、前後方向を向く上部フレームが設けられ、該上部フレームの上面が水平面をなしており、前記フック部材は、物品を吊持する吊持部と該吊持部の上端部から水平方向に延設される水平部とを有しており、該水平部は、前記上部フレームの上面と前記天板の下面との間で挟持されることを特徴としている。
この特徴によれば、側脚フレームと天板という机を構成している部材を利用して、部品点数を増やさずにフック部材を設けることができ、かつフック部材の水平部が、それぞれ水平面をなしている上部フレームの上面と天板の下面との間で挟持されるので、吊持部に物品を吊持した際に、フック部材が揺動されることもなくなり、長年使用してもフック部材が脱落する虞もなくなる。
【０００７】
本発明の請求項２に記載の机は、請求項１に記載の机であって、
前記天板の下面には、前方に開口部を有して内部に物品を収納可能な棚本体部が取り付けられており、該棚本体部の左右上部には、前記天板に当接する棚側部が左右外側に向かって延設され、該棚側部には、前記水平部が係合される係合孔が形成されており、前記水平部と前記棚側部とが前記上部フレームの上面と前記天板の下面との間で挟持された状態で、前記上部フレームが前記天板に固着されることを特徴としている。
この特徴によれば、フック部材の水平部の水平方向の移動が係合孔によって規制された状態にして、棚側部が上部フレームと天板とにより挟持されるため、棚本体部とフック部材とを強固に天板の下面に取り付けることができ、かつ天板に対して、フック部材と棚本体部と上部フレームの取り付けを個別に行う必要がなく、上部フレームの天板に対する固着によりフック部材と棚本体部とを天板に取り付けることができ、机の組立工程を簡素化することができる。
【０００８】
本発明の請求項３に記載の机は、請求項１または２に記載の机であって、
前記天板の下面には、前方に開口部を有して内部に物品を収納可能な棚本体部が取り付けられており、前記吊持部の形状は、前記棚本体部の側面に沿うように形成されていることを特徴としている。
この特徴によれば、吊持部の机の内側方に向けての揺動が棚本体部の側面によって規制されるので、吊持部は机の内方に向けて揺動されないようになり、フック部材のがたつきを防止することができる。
【０００９】
本発明の請求項４に記載の机は、請求項１ないし３のいずれかに記載の机であって、
前記フック部材は、一本の線材を屈曲して形成されており、該線材の両端部を前記水平部として形成し、該両水平部が互いに離間して配置されることを特徴としている。
この特徴によれば、フック部材を安価に製作できるとともに、線材の両端部を水平部として形成し、両水平部を互いに離間して配置することで、フック部材が物品を安定して吊持することができる。
【発明を実施するための最良の形態】
【００１０】
本発明に係る机を実施するための最良の形態を実施例に基づいて以下に説明する。
【実施例】
【００１１】
本発明の実施例を図面に基づいて説明すると、先ず図１は、本発明の実施例における机の全体像を示す斜視図であり、図２は、机を示す分解斜視図であり、図３は、机を示す側面図であり、図４（ａ）は、接地フレーム及び水平フレームの前端部を示す一部破断断面図であり、図４（ｂ）は、図３におけるＡ−Ａ断面図であり、図５は、フック部材を示す斜視図であり、図６は、天板を外した状態の机を示す平面図であり、図７は、図６におけるＢ−Ｂ断面図であり、図８は、図６におけるＣ−Ｃ断面図であり、図９は、棚本体部を示す縦断側面図である。以下、図３の紙面右方側を机の正面側（前方側）とし、図６の紙面下方側を机の正面側（前方側）として説明する。
【００１２】
図１の符号１は、主に学校や塾等の教育機関で生徒が使用する学習机である。この机１は、図１に示すように、木材から成る長方形状の天板２を、左右に配置された金属材から成る側脚フレーム３によって下方から支持している。
【００１３】
図１及び図２に示すように、天板２の下方の左右外側には、机１の使用者の手荷物等を吊持するためのフック部材４が設けられている。左右の側脚フレーム３間には、使用者が学校等で使用する教科書等の物品を収納可能な前方に開口部を有して棚本体部５が配置されており、この棚本体部５は、その上端面が当接された状態で天板２下面に取り付けられている。
【００１４】
図２及び図３に示すように、左右の側脚フレーム３は、それぞれ側面視で略Ｌ字状に形成された後脚フレーム６と前脚フレーム７の上端部を上部フレーム８によって連結して構成されている。後脚フレーム６は、床面に接地される前後方向を向く接地フレーム６ａと、この接地フレーム６ａの後端部から屈曲部６ｂを介して上方に向けて延設される後フレーム６ｃと、から構成されている。
【００１５】
尚、両側脚フレーム３の後フレーム６ｃ同士の間に補強フレーム１９が渡設され、左右の側脚フレーム３が一体的に構成されている。また、側脚フレーム３は、側面視で略コ字形状をなしている。
【００１６】
側脚フレーム３の前脚フレーム７は、接地フレーム６ａよりも短寸に形成されて前後方向を向いて形成された水平フレーム７ａと、この水平フレーム７ａの後端部から屈曲部７ｂを介して上方に向けて延設される前フレーム７ｃと、から構成されている。
【００１７】
図４（ｂ）に示すように、これら前脚フレーム７及び後脚フレーム６は、内部が中空に形成された金属材から成る管状部材としてのパイプ材で構成されており、前脚フレーム７及び後脚フレーム６の軽量化が成されている。
【００１８】
また、前脚フレーム７及び後脚フレーム６を管状のパイプ材で構成することで、押圧等による変形加工が容易となっており、接地フレーム６ａの前部には、凹部９が上方から接地フレーム６ａが押圧されることで形成されている。この凹部９は左右方向から中央に向かって傾斜面９ａ，９ａを有し、凹部９は断面視で略Ｖ字状に形成されている。
【００１９】
この凹部９内には、上方から水平フレーム７ａの下部を傾斜面９ａ，９ａに当接させた状態で配置されている。接地フレーム６ａと水平フレーム７ａは、凹部９内で溶接により重合固着されている。例えば、接地フレーム６ａに凹部９を形成せずに接地フレーム６ａの上部に水平フレーム７ａの下部の一点を当接させて溶接する場合よりも、図４（ｂ）の断面図に示すように、接地フレーム６ａに凹部９を形成し、傾斜面９ａ，９ａの２点で接地フレーム６ａと水平フレーム７ａとを当接させることで、接地フレーム６ａと水平フレーム７ａとの当接箇所が増加し、接地フレーム６ａと水平フレーム７ａとをより強固に固着させることができる。
【００２０】
また、接地フレーム６ａに凹部９を形成することで、接地フレーム６ａと水平フレーム７ａとの床面からの重なり高さを低く形成することができ、机１の使用者が机１前の椅子に着席する際及び起立する際に、使用者の足が水平フレーム７ａに引っ掛かってしまうことを防ぐことができる。
【００２１】
尚、図４（ａ）に示すように、接地フレーム６ａの前端部は、水平フレーム７ａの前端部よりも前方に突出して配置されている。接地フレーム６ａの前端部の突出寸法Ｍは、およそ２〜４ｃｍ程度となっている。
【００２２】
図２及び図４（ａ）に示すように、接地フレーム６ａの屈曲部６ｂには、床面を傷つけることを防止するための弾性を有する樹脂材から成るカバー部材１０が取り付けられている。また、接地フレーム６ａ及び水平フレーム７ａの前端部にも、前方からカバー部材１０と同じく弾性を有する樹脂材から成るカバー部材１１が取り付けられている。
【００２３】
図４（ｂ）に示すように、カバー部材１１は、後部側の上方と後方とに開口する略筒状に形成されており、接地フレーム６ａ及び水平フレーム７ａの前端部に外嵌させることで接地フレーム６ａ及び水平フレーム７ａの前端部を被覆している。このカバー部材１０により接地フレーム６ａと水平フレーム７ａとの溶接部２１が隠蔽されるようになっている。
【００２４】
更に、カバー部材１１の下部には、上下に連通する螺子孔１１ａが穿設されており、接地フレーム６ａの下部には、螺着孔６ｄが穿設されている。これら螺子孔１１ａと螺着孔６ｄとは、カバー部材１１が接地フレーム６ａ及び水平フレーム７ａの前端部に取り付けられた状態で連通するようになっており、螺子孔１１ａから螺着孔６ｄに対して螺子２０を螺着することで、カバー部材１１を接地フレーム６ａに固定している。尚、特に図示しないが、カバー部材１０と接地フレーム６ａとの後部にも同一構成の螺子孔及び螺着孔が穿設されており、螺子孔から螺着孔に対して螺子を螺着することでカバー部材１０を接地フレーム６ａに固定している。
【００２５】
カバー部材１１の前部は、接地フレーム６ａ及び水平フレーム７ａの前端部に沿って、後方に向かって上方に傾斜を成す本発明における傾斜部としてのテーパー面１１ｂに形成されている。そのため使用者の足がカバー部材１１の前部に当接することがあっても、使用者の足はテーパー面１１ｂに沿って上方に摺接移動するので、足がカバー部材１１に引っかかることがなく、テーパー面１１ｂによって足とカバー部材１１とが当接したときの衝撃を緩和できるようになっている。
【００２６】
図２及び図３に示すように、後フレーム６ｃと前フレーム７ｃとの上端部は、上部フレーム８に取り付けられる。図７に示すように、この上部フレーム８には、前後方向を向く水平な板状の基板８ａの左右端部から下方に向けて係止片８ｂ，８ｂが突設されており、下方に開口した略コ字形状の凹条部１２が形成されている。後フレーム６ｃ及び前フレーム７ｃは、この凹条部１２内に下方から挿通されて基板８ａの下面に溶接されている。尚、上部フレーム８の基板８ａの上面は、水平をなす水平面として形成されている。
【００２７】
また、上部フレーム８の基板８ａには、複数のフレーム側挿通孔８ｃが穿設されている。尚、係止片８ｂ，８ｂの下端部は、上方に向かって折り返されて折返部８ｄが形成されており、係止片８ｂ，８ｂの下端部が丸みを帯びた形状となっている。
【００２８】
図５に示すように、フック部材４は、金属から成る一本の線材によって屈曲形成されている。このフック部材４は、使用者の鞄等の物品を吊持する吊持部４ａと、この吊持部４ａの上端部を水平方向に屈曲させることで形成されて、後述する棚本体部５の係合孔１７に係合される２つの水平部４ｂと、で構成されている。
【００２９】
水平部４ｂは、前述した線材の両端部によって構成され、かつフック部材４の上部で離間して配置されている。そのためフック部材４は、一本の線材を屈曲するだけで形成でき、安価にフック部材４を製作することができる。また、図８に示すように、吊持部４ａの形状は、棚本体部５の後述する棚側板５ｃの傾斜に沿うように形成されている。更に、水平部４ｂは吊持部４ａの上端部から左右方向（机１の外方側）に延びている。
【００３０】
図２及び図６に示すように、棚本体部５は、上面が使用者の物品を載置するための載置面５ｂとなっている荷受板５ａを有している。また、この荷受板５ａの左右には、左右外側に向かって傾斜を成して上方に向かって延設される棚側板５ｃが設けられている。更に、荷受板５ａの後部から上方に向かって延設される背板５ｄが設けられている。棚本体部５は、これら荷受板５ａと棚側板５ｃと背板５ｄとにより上方と前方が開口された略箱体に形成されている。
【００３１】
荷受板５ａの後部には、複数の上下に連通する連通孔５ｅが穿設されており、棚本体部５の軽量化が成されている。また、荷受板５ａの下面には、複数の左右方向を向くリブ部５ｆが設けられており、棚本体部５の強度の向上が成されている。
【００３２】
更に、荷受板５ａの前辺部には、左右方向を向く凸条１３が上方に向けて突設されている。この凸条１３の左右端部と左右の棚側板５ｃとの間には、棚本体部５内に溜まった塵等を棚本体部５の外に掃き出すための掃出部１４が形成されている。掃出部１４は左右幅Ｌの所定寸法を有し、棚本体部５の左右２箇所に形成されている。
【００３３】
この掃出部１４が凸条１３と棚側板５ｃとの間に形成されていることで、使用者はいずれかの棚側板５ｃ側に棚本体部５内に溜まった塵を集めた後、掃出部１４を通して塵を棚本体部５側に排除することができ、棚本体部５内の掃除が容易に行うことができる。尚、掃出部１４の左右幅寸法Ｌは、およそ３〜５ｃｍ程度となっている。
【００３４】
図９に示すように、凸条１３は、荷受板５ａの前辺部を上方に向けて屈曲形成して、その先を下方に向けて屈曲形成することで、側面視で略三角状に形成されている。そのため凸条１３は、略三角状の頂点を境として、凸条１３の後部には、後方から前方に向かって上方に傾斜を成す後部傾斜面１３ａが形成され、凸条１３の前部には、後方から前方に向かって下方に傾斜を成す前部傾斜面１３ｂが形成されている。このような形状の凸条１３により荷受板５ａの前辺部の強度の向上が成されている。
【００３５】
更に、使用者が棚本体部５内から物品を取り出そうとする際には、載置面５ｂに載置されている物品を後部傾斜面１３ａに摺接するように前方に向かってスライドさせることで、容易に物品の取り出しが行えるようになる。また、使用者が棚本体部５内に物品を収納しようとする際には、物品の下端部を前部傾斜面１３ｂに当接させて摺接移動させることで、物品を凸条１３に引掛けることなくスムーズに棚本体部５内に物品を収納することができるようになっている。
【００３６】
図６及び図７に示すように、両棚側板５ｃの上端部には、棚側板５ｃの全長に亘って左右外側に向かって延びるリブ状の棚側部１５が設けられている。また、背板５ｄの上端部には、図７及び図９に示すように、背板５ｄの全長に渡って後方向にかって延びるリブ状の棚後部１６が設けられている。これら棚側部１５と棚後部１６とは、その上端部が面一に形成されており、棚側部１５と棚後部１６とが天板２の下面に当接することによって、天板２を支持するようになっている。
【００３７】
棚側部１５は、棚側板５ｃの上端部から左右外側に向けて延設され、天板２の下面に当接する当接板１５ａと、この当接板１５ａの左右外側端縁から当接板１５ａの全長に亘って下方に向かって延設される側端板１５ｂとから構成されている。これら棚側部１５と棚側板５ｃとによって棚側部１５の下部には、前後方向を向く下向きコ字状の溝部１５ｃが形成されている。
【００３８】
また、当接板１５ａには、図６及び図８に示すように、前後方向に上下方向を向く複数の棚側部側挿通孔１５ｄが穿設されている。これら棚側部側挿通孔１５ｄと異なる位置に、フック部材４の水平部４ｂを係合するための２条で一対をなす係合孔１７が左右の各棚側部１５に形成されている。
【００３９】
更に、棚側部１５の溝部１５ｃには、側脚フレーム３の上部フレーム８が内嵌可能となっている。そのため上部フレーム８は、溝部１５ｃ内で左右方向の移動が規制されている。また、上部フレーム８を溝部１５ｃ内で若干前後摺動させることで、フレーム側挿通孔８ｃと棚側部側挿通孔１５ｄとの位置合わせが容易に行えるようになっている。
【００４０】
図９に示すように、棚後部１６は、背板５ｄの上端部から後方に延設されて側面視で上方に緩やかに湾曲する略凸状に形成された凸片１６ａと、この凸片１６ａの後端縁から全長に亘って上方に向かって延設された垂直片１６ｂと、から構成されている。この棚後部１６と背板５ｄとによって棚後部１６には、左右方向を向いて上方が開口する略コ字形状の肉抜き溝部１６ｃが形成されている。
【００４１】
この棚後部１６は、垂直片１６ｂと凸片１６ａによって、棚本体部５の後部に発生する撓みを抑制するための充分な強度を有しているとともに、肉抜き溝部１６ｃが形成されることによって、棚後部１６を軽量な補強部として構成している。更に、天板２を左右の当接板１５ａだけでなく、天板２を垂直片１６ｂの上端部の左右全長に亘って下方から支持することによって、天板２に発生する撓みが発生し難くなっている。
【００４２】
前述のように構成された机１を組み立てるには、先ず、天板２の下面が上方を向くように裏返し、天板２の下面に棚本体部５を、棚側部１５及び棚後部１６が当接するように載置する。そして、棚本体部５の係合孔１７にフック部材４の水平部４ｂを上方から係合させた後に、上方を向く溝部１５ｃ内に上部フレーム８を内嵌させる。
【００４３】
このようにすることで、棚側部１５の当接板１５ａは、図８に示すように、天板２と上部フレーム８とで上下から挟持される。同時に、フック部材４も係合孔１７内で天板２と上部フレーム８とによって上下から水平部４ｂを挟持される。このとき、フック部材４の吊持部４ａは棚側板５ｃの傾斜に沿って配置されるため、吊持部４ａの机１の内側方に向けての揺動は棚側板５ｃに当接することで規制されるようになり、吊持部４ａの机１の内側方に向けての大きながたつきを防止できるようになっている。
【００４４】
次いで、上部フレーム８を溝部１５ｃ内で前後に若干摺動させることで、フレーム側挿通孔８ｃと棚側部側挿通孔１５ｄとが連通するように、側脚フレーム３の天板２に対する位置決めを行う。側脚フレーム３の天板２に対する位置が決定した後は、フレーム側挿通孔８ｃと棚側部側挿通孔１５ｄとを介して、図８に示すように、天板２に木ネジ１８を螺合させることによって、側脚フレーム３と棚本体部５が天板２に螺着される。つまり、本実施例における側脚フレーム３と棚本体部５の天板２に対しての取り付けは、個別に行う必要がないため、机１の組立工程が簡略化される。
【００４５】
このとき、側脚フレーム３と棚本体部５が天板２に対して螺着されることによって、係合孔１７内に係合されているフック部材４の水平部４ｂは上下方向から押圧されるとともに、上下方向から発生する摩擦力によって、フック部材４の机１に対する強固な取り付けが成される。
【００４６】
尚、上部フレーム８が天板２に取り付けられた両側脚フレーム３には、図２に示すように、両側脚フレーム３の後フレーム６ｃ同士の間に補強フレーム１９が渡設されることで、両側脚フレーム３間の左右方向の強度を向上させることができ、机１の左右方向のがたつきを抑制することができる。
【００４７】
前述のように組み立てられた机１は、図８に示すように、天板２の左右下方に凹条部１２が配置されるため、使用者は机１を持ち上げて運搬する際に、この凹条部１２に指を差し込んだ後、左右外側の係止片８ｂに指を掛けることで、机１を安定して持ち上げることができる。
【００４８】
使用者が机１を持ち上げるときには、使用者は指を前述したように係止片８ｂに掛けるが、同時に使用者の指が係止片８ｂの折返部８ｄにも当接するようになっている。折返部８ｄは丸みを帯びた形状に形成されているため、使用者は指を折返部８ｄで痛みを感じることなく机１を持ち上げることができる。
【００４９】
また、使用者が係止片８ｂに指を掛けて机１を運搬しているときには、係止片８ｂが溝部１５ｃの内面側から側端板１５ｂに当接しているため、係止片８ｂが使用者の指から受ける机１の荷重を側端板１５ｂでも受けるようになっているため、側端板１５ｂは、係止片８ｂが使用者の指から受ける机１の荷重によって変形しないように、係止片８ｂの強度を向上させることができる。
【００５０】
以上、本実施例における机１では、側脚フレーム３の上端部には、前後方向を向く上部フレーム８が設けられ、上部フレーム８の上面が水平面をなしており、フック部材４は、物品を吊持する吊持部４ａと吊持部４ａの上端部から水平方向に延設される水平部４ｂとを有しており、水平部４ｂは、上部フレーム８の上面と天板２の下面との間で挟持されることで、側脚フレーム３と天板２という机１を構成している部材を利用して、部品点数を増やさずにフック部材４を設けることができ、かつフック部材４の水平部４ｂが、それぞれ水平面をなしている上部フレーム８の上面と天板２の下面との間で挟持されるので、吊持部４ａに物品を吊持した際に、フック部材４が揺動されることもなくなり、長年使用してもフック部材４が脱落する虞もなくなる。
【００５１】
また、天板２の下面には、前方に開口部を有して内部に物品を収納可能な棚本体部５が取り付けられており、棚本体部５の左右上部には、天板２に当接する棚側部１５が左右外側に向かって延設され、棚側部１５には、水平部４ｂが係合される係合孔１７が形成されており、水平部４ｂと棚側部１５とが上部フレーム８の上面と天板２の下面との間で挟持された状態で、上部フレーム８が天板２に固着されることで、フック部材４の水平部４ｂの水平方向の移動が係合孔１７によって規制された状態にして、棚側部１５が上部フレーム８と天板２とにより挟持されるため、棚本体部５とフック部材４とを強固に天板２の下面に取り付けることができ、かつ天板２に対して、フック部材４と棚本体部５と上部フレーム８の取り付けを個別に行う必要がなく、上部フレーム８の天板２に対する固着によりフック部材４と棚本体部５とを天板２に取り付けることができ、机１の組立工程を簡素化することができる。
【００５２】
また、天板２の下面には、前方に開口部を有して内部に物品を収納可能な棚本体部５が取り付けられており、吊持部４ａの形状は、棚本体部５の棚側板５ｃ（側面）に沿うように形成されていることで、吊持部４ａの机１の内側方に向けての揺動が棚本体部５の棚側板５ｃによって規制されるので、吊持部４ａは机１の内方に向けて揺動されないようになり、フック部材４のがたつきを防止することができる。
【００５３】
また、フック部材４は、一本の線材を屈曲して形成されており、線材の両端部を水平部４ｂとして形成し、両水平部４ｂが互いに離間して配置されることで、フック部材４を安価に製作できるとともに、線材の両端部を水平部４ｂとして形成し、両水平部４ｂを互いに離間して配置することで、フック部材４が物品を安定して吊持することができる。
【００５４】
以上、本発明の実施例を図面により説明してきたが、具体的な構成はこれら実施例に限られるものではなく、本発明の要旨を逸脱しない範囲における変更や追加があっても本発明に含まれる。
【００５５】
例えば、前記実施例では、机１を学校や塾等の教育機関で生徒が使用する机として説明したが、事務机や家庭内で使用する学習机等、机の使用される環境は特に限定されない。
【００５６】
また、前記実施例では、凸条１３の左右端部と左右の棚側板５ｃ間に掃出部１４を形成したが、掃出部１４が形成される場所は凸条１３の左右だけでなく、例えば、荷受板５ａの前辺部に、互いに左右に離間させて直線的に並ぶ２つの凸条を形成し、その凸条同士の間に１つの掃出部を形成してもよい。
【００５７】
また、前記実施例では、係合孔１７を２条で一対をなすように形成したが、フック部材４の２つの水平部４ｂを収容できる１つの係合孔１７として形成してもよい。
【図面の簡単な説明】
【００５８】
【図１】本発明の実施例における机の全体像を示す斜視図である。
【図２】机を示す分解斜視図である。
【図３】机を示す側面図である。
【図４】（ａ）は、接地フレーム及び水平フレームの前端部を示す一部破断断面図であり、（ｂ）は、図３におけるＡ−Ａ断面図である。
【図５】フック部材を示す斜視図である。
【図６】天板を外した状態の机を示す平面図である。
【図７】図６におけるＢ−Ｂ断面図である。
【図８】図６におけるＣ−Ｃ断面図である。
【図９】棚本体部を示す縦断側面図である。
【符号の説明】
【００５９】
１                机
２                天板
３                側脚フレーム
４                フック部材
４ａ              吊持部
４ｂ              水平部
５                棚本体部
５ａ              荷受板
５ｂ              載置面
５ｃ              棚側板
５ｄ              背板
６                後脚フレーム
６ａ              接地フレーム
６ｃ              後フレーム
７                前脚フレーム
７ａ              水平フレーム
７ｃ              前フレーム
８                上部フレーム
８ｂ              係止片
８ｄ              折返部
９                凹部
１０、１１        カバー部材
１１ｂ            テーパー面（傾斜部）
１２              凹条部
１３              凸条
１３ａ            後部傾斜面
１３ｂ            前部傾斜面
１４              掃出部
１５              棚側部
１５ｃ            溝部
１６              棚後部
１７              係合孔
【図１】
2010099352.tif 000003
【図２】
2010099352.tif 000004
【図３】
2010099352.tif 000005
【図４】
2010099352.tif 000006
【図５】
2010099352.tif 000007
【図６】
2010099352.tif 000008
【図７】
2010099352.tif 000009
【図８】
2010099352.tif 000010
【図９】
2010099352.tif 000011